(57)【要約】【課題】コストの高騰を招くことなく、ヒートショックを抑制する上で有利になる給湯装置を提供する。【解決手段】浴室に設けられた浴槽３０に湯を溜める湯はり動作を実行可能な貯湯式給湯装置３５は、浴槽３０内の湯の温度である浴槽温度を下げることのできる浴槽温度低下手段と、浴室を暖房する浴室暖房器６０に設けられた浴室温度センサ６３により検出された浴室温度の情報を受信可能な通信手段と、湯はり動作の終了時の浴室温度の予測値または実測値の少なくとも一方が基準よりも低い場合に、浴槽温度を設定温度よりも低くする制御部３６とを備える。【選択図】図１
2020193779.tif 000002
【特許請求の範囲】
【請求項１】
浴室に設けられた浴槽に湯を溜める湯はり動作を実行可能な給湯装置であって、
前記浴槽内の湯の温度である浴槽温度を下げることのできる浴槽温度低下手段と、
前記浴室を暖房する浴室機器に設けられた浴室温度センサにより検出された浴室温度の情報を受信可能な通信手段と、
前記湯はり動作の終了時の浴室温度の予測値または実測値の少なくとも一方が基準よりも低い場合に、前記浴槽温度を設定温度よりも低くする制御手段と、
を備える給湯装置。
【請求項２】
前記湯はり動作の実行中に前記浴室機器が暖房運転を実施している場合には、前記湯はり動作の実行中に前記浴室機器が前記暖房運転を実施していない場合に比べて、前記浴槽温度を高くする請求項１に記載の給湯装置。
【請求項３】
ユーザーの入浴を検出する入浴検出手段と、
前記浴槽温度を上げることのできる浴槽温度上昇手段と、
を備え、
前記制御手段は、前記浴槽温度を前記設定温度よりも低くした後、前記入浴が検出された場合には、前記浴槽温度を上昇させる請求項１または請求項２に記載の給湯装置。
【請求項４】
前記湯はり動作の実行中に前記浴槽温度を前記設定温度よりも低くする場合に、前記浴槽温度低下手段は、前記設定温度よりも低い温度の湯水を前記浴槽へ供給する請求項１から請求項３のいずれか一項に記載の給湯装置。
【請求項５】
前記湯はり動作の終了後に前記浴槽温度を前記設定温度よりも低くする場合に、前記浴槽温度低下手段は、前記設定温度よりも低い温度の湯水を前記浴槽へ供給する請求項１から請求項４のいずれか一項に記載の給湯装置。
【請求項６】
貯湯タンクを備え、
前記浴槽温度低下手段は、前記浴槽内の湯の熱を前記貯湯タンク内に回収することにより前記浴槽温度を下げる熱回収手段を含み、
前記湯はり動作の終了後に前記浴槽温度を前記設定温度よりも低くする場合に、前記浴槽温度低下手段は、前記熱回収手段により前記浴槽温度を下げる請求項１から請求項５のいずれか一項に記載の給湯装置。
【請求項７】
前記浴室に隣接する脱衣室に配置された脱衣室機器に設けられた室温センサにより検出された脱衣室温度の情報を前記通信手段により受信可能であり、
前記制御手段は、前記湯はり動作の終了時の脱衣室温度の予測値または実測値の少なくとも一方が基準よりも低い場合に、前記浴槽温度を前記設定温度よりも低くする請求項１から請求項６のいずれか一項に記載の給湯装置。
【請求項８】
前記湯はり動作の終了時の浴室温度を予測する浴室温度予測手段を備え、
前記制御手段は、前記予測された浴室温度が前記基準よりも低い場合に、前記設定温度よりも低い温度の湯水を前記浴槽へ供給する請求項１から請求項７のいずれか一項に記載の給湯装置。
【請求項９】
前記湯はり動作の終了時の浴室温度の実測値が前記基準よりも低い場合に、前記制御手段は、前記浴槽温度が前記設定温度よりも低くなるように、前記浴槽温度低下手段を作動させる請求項１から請求項８のいずれか一項に記載の給湯装置。
【発明の詳細な説明】
【技術分野】
【０００１】
本発明は、給湯装置に関する。
【背景技術】
【０００２】
急激な温度変化によって人体に負担がかかるヒートショックと呼ばれる現象が知られている。ヒートショックは、例えば心筋梗塞、脳卒中などの原因となりうる。下記特許文献１には、浴室リモコンに設けられた浴室温度センサにより検出された浴室温度に基づいて浴槽の湯はりの温度を制御することにより、ヒートショックを抑制する給湯装置が開示されている。
【先行技術文献】
【特許文献】
【０００３】
【特許文献１】特開２０１５−１９７２７５号公報
【発明の概要】
【発明が解決しようとする課題】
【０００４】
浴室リモコンに浴室温度センサを設けると、その分のコストが高くなるという課題がある。
【０００５】
本発明は、上述のような課題を解決するためになされたもので、コストの高騰を招くことなく、ヒートショックを抑制する上で有利になる給湯装置を提供することを目的とする。
【課題を解決するための手段】
【０００６】
本発明に係る給湯装置は、浴室に設けられた浴槽に湯を溜める湯はり動作を実行可能な給湯装置であって、浴槽内の湯の温度である浴槽温度を下げることのできる浴槽温度低下手段と、浴室を暖房する浴室機器に設けられた浴室温度センサにより検出された浴室温度の情報を受信可能な通信手段と、湯はり動作の終了時の浴室温度の予測値または実測値の少なくとも一方が基準よりも低い場合に、浴槽温度を設定温度よりも低くする制御手段と、を備えるものである。
【発明の効果】
【０００７】
本発明によれば、コストの高騰を招くことなく、ヒートショックを抑制する上で有利になる給湯装置を提供することが可能となる。
【図面の簡単な説明】
【０００８】
【図１】実施の形態１による貯湯式給湯装置を示す図である。
【図２】制御部により実行されるヒートショック抑制動作のフローチャートである。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による貯湯式給湯装置を示す図である。図１に示すように、本実施の形態の貯湯式給湯装置３５は、タンクユニット３３と、ヒートポンプサイクルを利用するＨＰユニット７と、台所に設置された台所リモコン４８と、浴室に設置された浴室リモコン４９とを備えている。ＨＰユニット７とタンクユニット３３との間は、ＨＰ往き配管１４とＨＰ戻り配管１５と図示しない電気配線とを介して接続されている。タンクユニット３３には、制御部３６が内蔵されている。タンクユニット３３及びＨＰユニット７が備える各種の弁類及びポンプ類等の作動は、これらと電気的に接続された制御部３６により制御される。制御部３６は、例えば、少なくとも一つのメモリと少なくとも一つのプロセッサとを有するマイクロコンピュータを備える。制御部３６は、貯湯式給湯装置３５の運転を制御する制御手段に相当する。制御部３６は、日時を管理するタイマー機能を有している。
【００１１】
制御部３６と、台所リモコン４８及び浴室リモコン４９とは、相互に通信可能に接続されている。台所リモコン４８及び浴室リモコン４９は、運転動作指令及び設定値の変更などに関するユーザーの操作を受け付ける機能を有する。台所リモコン４８及び浴室リモコン４９は、ユーザーインターフェースの例である。台所リモコン４８及び浴室リモコン４９には、貯湯式給湯装置３５の状態等の情報を表示する表示部、使用者が操作するスイッチ等の操作部、スピーカ、マイク等が搭載されている。台所リモコン４８及び浴室リモコン４９の表示部は、使用者に情報を報知する報知手段としての機能を有する。本実施の形態における台所リモコン４８及び浴室リモコン４９は、表示部を報知手段として備えるが、変形例として、例えば音声案内装置のような他の報知手段を備えてもよい。
【００１２】
浴室の浴槽３０には、自動で開閉可能な浴槽栓５０が設けられている。浴槽栓５０は、制御部３６と電気的に接続されている。制御部３６は、浴槽栓５０の開閉状態を確認したり、浴槽栓５０を自動で開閉させる指示を送ったりすることができる。以下の説明では、浴槽３０内の湯水を「浴水」と呼ぶ場合がある。また、浴槽３０内の浴水の温度を「浴槽温度」と称する。
【００１３】
制御部３６は、通信手段に相当する外部通信装置４４と接続され、外部回線を用いて通信可能になっている。外部回線とは、例えば宅内のブロードバンドルータを経由したインターネット回線のことである。
【００１４】
浴室の例えば天井に浴室暖房器６０が配置されている。浴室暖房器６０は、浴室を暖房する浴室機器に相当する。浴室暖房器６０は、浴室暖房器制御部６１と、浴室暖房器外部通信装置６２と、浴室温度を検出する浴室温度センサ６３とを備えている。
【００１５】
制御部３６は、浴室温度センサ６３により検出された浴室温度の情報、あるいは浴室暖房器６０のオン・オフなどの運転情報を、外部回線通信を用いて、浴室暖房器６０から受信する。
【００１６】
図示を省略するが、浴室に隣接する脱衣室に、例えば脱衣室暖房器のような脱衣室機器が配置されていてもよい。制御部３６は、その脱衣室機器が備える室温センサにより検出された脱衣室温度の情報、あるいは脱衣室機器のオン・オフなどの運転情報を、外部回線通信を用いて、脱衣室機器から受信してもよい。また、制御部３６、浴室暖房器制御部６１、及び脱衣室機器の制御部のうちの少なくとも一つは、例えばスマートフォンまたはタブレット端末のような外部通信端末７０と、外部回線通信により通信する機能を有していてもよい。ユーザーが外部通信端末７０を操作することで浴室暖房器６０あるいは脱衣室機器の暖房運転を開始することができるように構成されていてもよい。
【００１７】
ＨＰユニット７は、タンクユニット３３が備える貯湯タンク８から導かれた低温水を加熱するための加熱手段として機能する。ＨＰユニット７は、圧縮機１、水冷媒熱交換器３、膨張弁４、空気熱交換器６を冷媒配管５にて環状に接続し、ヒートポンプサイクルを構成している。水冷媒熱交換器３は、冷媒配管５を流れる冷媒とタンクユニット３３から導かれた低温水との間で熱交換を行うためのものである。
【００１８】
タンクユニット３３には、以下の各種部品や配管などが内蔵されている。貯湯タンク８は、湯水を貯留するためのものである。以下の説明では、貯湯タンク８に貯留された湯水を「タンク水」と呼ぶ場合がある。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄに連通する分岐部７６には、貯湯タンク８内に貯留された湯を貯湯式給湯装置３５の外部へ供給するための給湯配管２１と、送湯配管１３とが接続されている。
【００１９】
貯湯タンク８には、ＨＰユニット７を用いて加熱された高温湯が温水導入出口８ｄから流入するとともに、第３給水配管９ｃからの低温水が水導入口８ａから流入することにより、上下で温度差が生じるように湯水が貯留される。また、貯湯タンク８の表面には、複数の貯湯温度センサ４２，４３が高さを変えて取り付けられている。これらの貯湯温度センサ４２，４３で貯湯タンク８内の湯水の温度分布を検出することにより、貯湯タンク８内の残湯量及び蓄熱量が把握され、ＨＰユニット７による貯湯タンク８内の湯水の沸上運転の開始、停止などが制御される。
【００２０】
タンクユニット３３内には、循環ポンプ１２及びふろ用熱交換器２０が内蔵されている。循環ポンプ１２は、各種配管に湯水を循環させるためのポンプであり、ＨＰ往き配管１４上に設けられている。ふろ用熱交換器２０は、一次側流路２０ａを流れる流体と、二次側流路２０ｂを流れる浴水との間で熱を交換する。二次側流路２０ｂの一端は、ふろ往き配管２７を介して浴槽３０に接続されている。二次側流路２０ｂの他端は、ふろ戻り配管２８を介して浴槽３０に接続されている。二次側流路２０ｂ、ふろ往き配管２７、ふろ戻り配管２８、及び浴槽３０により、ふろ循環回路が形成される。ふろ往き配管２７の途中には、ふろ用熱交換器２０から出た浴水の温度を検出するふろ往き温度センサ３７と、浴水の循環を判定する水流検出手段４６と、浴槽３０の水位を検出する水位センサ４７とが設置されている。ふろ戻り配管２８の途中には、浴水を循環させるふろ循環ポンプ２９と、浴槽３０から出た浴水の温度を検出するふろ戻り温度センサ３８とが設置されている。
【００２１】
タンクユニット３３は、第１給水配管９ａ、第２給水配管９ｂ、給湯用混合弁２２、ふろ用混合弁２３、第１給湯配管２４、及び第２給湯配管２５を有している。第１給水配管９ａの一端は水道等の水源に接続され、第１給水配管９ａの他端には減圧弁３１を介して第２給水配管９ｂ及び第３給水配管９ｃが接続されている。第２給水配管９ｂは、途中から分岐してそれぞれ給湯用混合弁２２とふろ用混合弁２３とに接続されている。また、給湯配管２１は、途中から分岐してそれぞれ給湯用混合弁２２及びふろ用混合弁２３に接続されている。
【００２２】
給湯用混合弁２２及びふろ用混合弁２３は、給湯配管２１から供給される高温湯と、第２給水配管９ｂから供給される低温水との流量比を調整することにより、ユーザーが台所リモコン４８または浴室リモコン４９にて設定した設定温度の湯を生成し、第１給湯配管２４及び第２給湯配管２５にそれぞれ流入させる。給湯用混合弁２２で温度調整された湯は、第１給湯配管２４から給湯栓３４を経由して、シャワーあるいはカラン等の蛇口（図示省略）に供給される。第２給湯配管２５の途中には、第２給湯配管２５を開閉するふろ用電磁弁２６と、第２給湯配管２５を通る湯の流量を検出するふろ用流量センサ４５とが設けられている。ふろ用混合弁２３で温度調整された湯は、第２給湯配管２５からふろ用電磁弁２６、ふろ用流量センサ４５、ふろ往き配管２７、ふろ戻り配管２８を経て浴槽３０に供給される。
【００２３】
タンクユニット３３内には、三方弁１１と、四方弁１８と、熱回収切替弁１９とが設けられている。貯湯タンク８の下部の水導出口８ｂは、配管１０により、三方弁１１のａポートに接続されている。一次側流路２０ａの出口は、配管７３により、三方弁１１のｂポートに接続されている。三方弁１１のｃポートは、ＨＰ往き配管１４により、水冷媒熱交換器３の入水口に接続されている。水冷媒熱交換器３の出湯口は、ＨＰ戻り配管１５により、四方弁１８のｃポートに接続されている。
【００２４】
貯湯タンク８には、温水導入口８ｃ及び熱回収出口８ｅが設けられている。熱回収出口８ｅは、貯湯タンク８の下部にある。温水導入口８ｃは、熱回収出口８ｅよりも高い位置にある。四方弁１８のａポートは、配管１６により、温水導入口８ｃに接続されている。循環ポンプ１２よりも下流側のＨＰ往き配管１４に分岐部７１が形成されている。四方弁１８のｂポートは、配管１７により、分岐部７１に接続されている。四方弁１８のｄポートは、送湯配管１３により、分岐部７６に接続されている。
【００２５】
熱回収切替弁１９のａポートは、配管７２により、一次側流路２０ａの入口に接続されている。熱回収切替弁１９のｂポートは、送湯配管１３の途中に形成された分岐部７５に対して配管７４により接続されている。熱回収切替弁１９のｃポートは、配管７７により、熱回収出口８ｅに接続されている。
【００２６】
次に、浴槽３０に湯を溜める湯はり動作について説明する。例えば浴室リモコン４９をユーザーが操作すると、制御部３６は、湯はり動作を開始する。湯はり動作において、制御部３６は、ふろ往き温度センサ３７またはふろ戻り温度センサ３８により検出される給湯温度が、ユーザーが所望の浴水温度として設定した設定温度に等しくなるようにふろ用混合弁２３を制御することにより、設定温度の湯を浴槽３０に溜めることができる。設定量の給湯が終了すると、制御部３６は、ふろ用電磁弁２６を閉じて、湯はり動作を終了する。
【００２７】
制御部３６は、湯はり動作の終了後、浴槽温度を一定に保つふろ自動運転を続けて実行してもよい。ふろ自動運転では、制御部３６は、例えば以下のように制御する。定期的（例えば１０分毎）にふろ循環ポンプ２９を運転させて、浴槽３０内の浴水をふろ循環回路に循環させ、浴槽温度をふろ戻り温度センサ３８により検出する。浴槽温度が設定温度よりも低下していれば、追いだき運転を開始し、設定温度まで浴槽温度が上昇すれば、追いだき運転を停止する。制御部３６は、ユーザーが出浴時に手動で停止するか、設定された時間が経過するまで、ふろ自動運転の動作を継続する。
【００２８】
追いだき運転のときには、制御部３６は、例えば以下のように制御する。循環ポンプ１２及びふろ循環ポンプ２９が運転される。貯湯タンク８の温水導入出口８ｄから流出した高温のタンク水が、分岐部７６、送湯配管１３、分岐部７５、配管７４、熱回収切替弁１９、及び配管７２を通って一次側流路２０ａに流入する。ふろ用熱交換器２０にて加熱された浴水は、ふろ往き配管２７を通って浴槽３０に流入する。ふろ用熱交換器２０では、タンク水の熱が浴水に奪われることで、タンク水の温度が低下する。温度低下したタンク水は、配管７３、三方弁１１、ＨＰ往き配管１４、循環ポンプ１２、分岐部７１、配管１７、四方弁１８、配管１６、及び温水導入口８ｃを通って貯湯タンク８内に流入する。本実施の形態において、追いだき運転は、浴槽温度を上げることのできる浴槽温度上昇手段に相当している。
【００２９】
制御部３６は、設定温度よりも低い温度の湯水が浴槽３０に流入するようにふろ用混合弁２３を制御することにより、浴槽温度を下げることができる。このような動作は、浴槽温度を下げることのできる浴槽温度低下手段に相当している。湯はり動作の実行中に、制御部３６は、ふろ往き温度センサ３７またはふろ戻り温度センサ３８により検出される給湯温度が、設定温度よりも低くなるようにふろ用混合弁２３を制御することにより、設定温度よりも低い温度の湯を浴槽３０に溜めることができる。また、湯はり動作の終了後に浴槽温度を下げる場合には、制御部３６は、第２給水配管９ｂから供給される低温水を、ふろ用混合弁２３を通してそのまま浴槽３０に流入させる「さし水運転」を実行してもよい。
【００３０】
さらに、本実施の形態における貯湯式給湯装置３５は、浴槽３０内の浴水の熱を貯湯タンク８内に回収することにより浴槽温度を下げる熱回収手段を浴槽温度低下手段として備えている。この熱回収手段を実現するふろ熱回収運転について以下に説明する。ふろ熱回収運転のときには、制御部３６は、例えば以下のように制御する。循環ポンプ１２及びふろ循環ポンプ２９が運転される。貯湯タンク８の熱回収出口８ｅから流出した低温のタンク水が、配管７７、熱回収切替弁１９、及び配管７２を通って一次側流路２０ａに流入する。ふろ用熱交換器２０では、浴水の熱がタンク水に奪われることで、浴水の温度が低下し、タンク水の温度が上昇する。温度上昇したタンク水は、配管７３、三方弁１１、ＨＰ往き配管１４、循環ポンプ１２、分岐部７１、配管１７、四方弁１８、配管１６、及び温水導入口８ｃを通って貯湯タンク８内に流入する。ふろ用熱交換器２０にて冷却された浴水がふろ往き配管２７を通って浴槽３０に流入することで、浴槽温度が低下する。
【００３１】
本実施の形態において、制御部３６は、湯はり動作の終了時の浴室温度の予測値または実測値の少なくとも一方が基準温度よりも低い場合に、浴槽温度低下手段を用いて浴槽温度を設定温度よりも低くするヒートショック抑制動作を実行可能である。上記基準温度は、ヒートショックが発生する可能性のある温度であり、例えば１５℃である。当該基準温度を以下「ヒートショック発生温度」と称する。湯はり動作の終了時の浴室温度の予測値または実測値の少なくとも一方がヒートショック発生温度よりも低い場合には、浴槽温度を設定温度よりも低くすることで、ユーザーが浴槽３０に入ったときの温度変化を軽減することができる。その結果、ヒートショックの発生を確実に予防することができる。これに対し、湯はり動作の終了時の浴室温度の予測値または実測値がヒートショック発生温度以上である場合には、ヒートショックが発生するおそれはないので、制御部３６は、浴槽温度を設定温度に等しくする。
【００３２】
また、制御部３６は、湯はり動作の終了時の脱衣室温度の予測値または実測値の少なくとも一方がヒートショック発生温度よりも低い場合に、浴槽温度低下手段を用いて浴槽温度を設定温度よりも低くするヒートショック抑制動作を実行してもよい。
【００３３】
以下の説明では、制御部３６が浴室温度及び脱衣室温度の両方を用いてヒートショック抑制動作を実行する例について説明するが、本開示では脱衣室温度を用いることなく浴室温度を用いてヒートショック抑制動作を実行してもよい。
【００３４】
図２は、制御部３６により実行されるヒートショック抑制動作のフローチャートである。ステップＳ１で、制御部３６は、湯はり動作を開始する。例えば、浴室リモコン４９からの指示があると、制御部３６は、ふろ用電磁弁２６を開き、浴槽３０への給湯を開始して、ステップＳ２に進む。
【００３５】
ステップＳ２では、浴室暖房器６０及び脱衣室暖房器の運転を開始する。また、浴室暖房器６０は、自身の運転情報と浴室温度情報を浴室暖房器外部通信装置６２により、外部回線を経由して、制御部３６に情報を送信する。脱衣室暖房器も同様に、自身の運転情報と脱衣室温度情報を自身に接続している外部通信装置により、外部回線を経由して、制御部３６に情報を送信する。その後、ステップＳ３に進む。
【００３６】
ステップＳ３で、制御部３６は、湯はり動作終了時の浴室温度の予測値あるいは脱衣室温度の予測値をヒートショック発生温度と比較し、予測値がヒートショック発生温度よりも低ければステップＳ４へ進み、それ以外の場合はステップＳ５へ進む。
【００３７】
制御部３６は、湯はり動作の終了時の浴室温度を予測する浴室温度予測手段を備えてもよい。例えば、湯はり動作の実行中に浴室暖房器６０が暖房運転をしている場合には、制御部３６は、湯はり動作の終了時の浴室温度がヒートショック発生温度以上になると予測してもよい。同様にして、湯はり動作の実行中に脱衣室暖房器が暖房運転をしている場合には、制御部３６は、湯はり動作の終了時の脱衣室温度がヒートショック発生温度以上になると予測してもよい。
【００３８】
また、制御部３６は、以下のようにして、湯はり動作終了時の浴室及び脱衣室の室温を予測してもよい。制御部３６は、同一の設定湯量での過去の湯はり動作の所要時間を記憶し、その平均値を元に、今回の予測湯はり時間を算出する。また、浴室暖房器６０あるいは脱衣室暖房器は、過去の暖房運転のときの経過時間毎の室温上昇を記憶し、その平均値を元に単位時間当たりの室温予測上昇率を算出する。これらの値を用いて、湯はり動作終了時の予測室温を以下の計算式により算出する。
湯はり動作終了時の予測室温
＝（予測湯はり時間−湯はり経過時間）×室温予測上昇率＋現在の室温
このような方法によれば、その日の外気温などの環境変化の影響を加味して、湯はり動作終了時の浴室及び脱衣室の室温をより高精度に予測することができる。
【００３９】
ステップＳ４では、湯はり動作終了時の予測室温がヒートショック発生温度よりも低く、ヒートショックが発生する可能性があるため、制御部３６は、浴槽温度を設定温度よりも低くする。例えば、制御部３６は、浴槽３０への給湯温度を例えば４０℃以下に制限するように、ふろ用混合弁２３を制御する。このように、湯はり動作の実行中に浴槽温度を設定温度よりも低くする場合には、設定温度よりも低い温度の湯水を浴槽３０へ供給する。これにより、設定温度が高い場合であっても、湯はり動作終了時の浴槽温度を設定温度よりも低くすることができるので、ヒートショックの発生を確実に抑制できる。
【００４０】
ステップＳ４の後、ステップＳ５へ進む。ステップＳ５では、浴槽３０への給湯が設定量まで終了したかどうかを判断する。設定量まで給湯が終了していなければ、ステップＳ３へ戻り、設定量まで給湯が終了していれば、ステップＳ６へ進む。
【００４１】
ステップＳ６では、浴室及び脱衣室の室温の実測値と、ヒートショック発生温度とを比較する。浴室及び脱衣室の室温がヒートショック発生温度以上ならステップＳ８へ進み、浴室及び脱衣室の室温がヒートショック発生温度未満ならステップＳ７へ進む。
【００４２】
ステップＳ７では、湯はり動作終了時の浴室及び脱衣室の室温の実測値がヒートショック発生温度よりも低く、ヒートショックが発生する可能性があるため、制御部３６は、浴槽温度を設定温度よりも低くする。まず、制御部３６は、ふろ循環ポンプ２９を作動させて、浴槽３０内の湯をふろ戻り温度センサ３８まで引き込むことにより、浴槽温度を検出する。検出された浴槽温度が設定温度（例えば、４０℃）よりも高い場合には、ふろ熱回収運転を行う。浴槽温度が設定温度よりも低くなると、制御部３６は、ふろ熱回収運転を終了して、ステップＳ８へ進む。このように、本実施の形態では、湯はり動作の終了後に浴槽温度を設定温度よりも低くする場合にふろ熱回収運転を行うことで、浴槽３０内に水を追加することなく浴槽温度を下げることができる。これにより、水の使用量を節約できる。ただし、ステップＳ７で、制御部３６は、ふろ熱回収運転に代えてさし水運転を行うことで浴槽温度を下げるようにしてもよい。さし水運転によれば、浴槽温度を迅速に低下させることができる。
【００４３】
ステップＳ８では、湯はりが完了したことを、台所リモコン４８と浴室リモコン４９にて、それぞれ報知し、ステップＳ９へ進む。
【００４４】
ステップＳ９では、浴室及び脱衣室の室温と、ヒートショック発生温度とを比較する。浴室及び脱衣室の室温がヒートショック発生温度以上ならステップＳ１３へ進み、浴室及び脱衣室の室温がヒートショック発生温度未満ならステップＳ１０へ進む。
【００４５】
ステップＳ１０では、制御部３６は、浴槽３０への入浴が行われているかどうかを確認する。具体的には、制御部３６は、湯はり動作終了時の水位と、現在の水位とを比較して、入浴されたと判断できる水位上昇（例えば、４ｃｍ）があった場合は、入浴ありと判断して、ステップＳ１１へ進む。水位上昇がなければ、入浴なしと判断して、ステップＳ１２へ進む。本実施の形態では、このように制御部３６が水位センサ４７を用いてユーザーの入浴を検出することが入浴検出手段に相当している。
【００４６】
ステップＳ１１では、制御部３６は、浴槽温度の制限を無くして、浴槽温度が設定温度に等しくなるように制御する。例えば、制御部３６は、浴槽温度が設定温度まで上昇するように追いだき運転を行う。このように、浴槽温度を設定温度よりも低くした後、入浴が検出された場合には、制御部３６が浴槽温度を上昇させることで、入浴者の快適性を高めることができる。ステップＳ１１の後、ステップＳ１４へ進む。
【００４７】
ステップＳ１２では、入浴が検出されていないため、ユーザーが入浴を開始した時のヒートショックを抑制できるように、制御部３６は、浴槽温度に制限を設ける。例えば、制御部３６は、浴槽温度を、設定温度よりも低い制限温度と比較し、浴槽温度が制限温度以上であればふろ熱回収運転またはさし水運転を行うことによって浴槽温度を低下させ、浴槽温度が制限温度未満であれば浴槽温度が制限温度に等しくなるように追いだき運転を行う。その後、ステップＳ１４へ進む。
【００４８】
ステップＳ１３では、浴室及び脱衣室の室温がヒートショック発生温度以上であるため、浴槽温度を設定温度よりも低く抑制する必要性はない。したがって、制御部３６は、浴槽温度の制限をなくし、浴槽温度が設定温度に等しくなるように追いだき運転を制御する。
【００４９】
ステップＳ１４では、制御部３６は、ふろ自動運転の設定時間を経過したかどうかを判断する。設定時間を経過していれば、制御部３６は、ふろ自動運転を終了し、経過していなければステップＳ９に戻る。
【００５０】
以上のように、本実施の形態であれば、浴室リモコン４９に浴室温度センサを設ける必要がないので、コストの高騰を招くことなく、ヒートショックを抑制することが可能となる。
【００５１】
制御部３６は、湯はり動作の実行中に浴室暖房器６０が暖房運転を実施している場合には、湯はり動作の実行中に浴室暖房器６０が暖房運転を実施していない場合に比べて、湯はり動作の終了時の浴槽温度が高くなるように制御してもよい。湯はり動作の開始時の浴室温度が低い場合であっても、浴室暖房器６０が暖房運転を実施していれば、湯はり動作の終了時には浴室温度が比較的高くなり、ヒートショックが発生する可能性が低下すると予想できる。このため、この場合には、浴槽温度をそれほど低く制限する必要はないので、浴槽温度を比較的高くすることにより、入浴者の快適性をさらに向上できる。同様にして、制御部３６は、湯はり動作の実行中に脱衣室暖房器が暖房運転を実施している場合には、湯はり動作の実行中に脱衣室暖房器が暖房運転を実施していない場合に比べて、湯はり動作の終了時の浴槽温度が高くなるように制御してもよい。
【符号の説明】
【００５２】
１  圧縮機、  ３  水冷媒熱交換器、  ４  膨張弁、  ５  冷媒配管、  ６  空気熱交換器、  ７  ＨＰユニット、  ８  貯湯タンク、  ８ａ  水導入口、  ８ｂ  水導出口、  ８ｃ  温水導入口、  ８ｄ  温水導入出口、  ８ｅ  熱回収出口、  ９ａ  第１給水配管、  ９ｂ  第２給水配管、  ９ｃ  第３給水配管、  １０  配管、  １１  三方弁、  １２  循環ポンプ、  １３  送湯配管、  １４  ＨＰ往き配管、  １５  ＨＰ戻り配管、  １６  配管、  １７  配管、  １８  四方弁、  １９  熱回収切替弁、  ２０  ふろ用熱交換器、  ２０ａ  一次側流路、  ２０ｂ  二次側流路、  ２１  給湯配管、  ２２  給湯用混合弁、  ２３  ふろ用混合弁、  ２４  第１給湯配管、  ２５  第２給湯配管、  ２６  ふろ用電磁弁、  ２７  ふろ往き配管、  ２８  ふろ戻り配管、  ２９  ふろ循環ポンプ、  ３０  浴槽、  ３１  減圧弁、  ３３  タンクユニット、  ３４  給湯栓、  ３５  貯湯式給湯装置、  ３６  制御部、  ３７  ふろ往き温度センサ、  ３８  ふろ戻り温度センサ、  ４２，４３  貯湯温度センサ、  ４４  外部通信装置、  ４５  ふろ用流量センサ、  ４６  水流検出手段、  ４７  水位センサ、  ４８  台所リモコン、  ４９  浴室リモコン、  ５０  浴槽栓、  ６０  浴室暖房器、  ６１  浴室暖房器制御部、  ６２  浴室暖房器外部通信装置、  ６３  浴室温度センサ、  ７０  外部通信端末、  ７１  分岐部、  ７２  配管、  ７３  配管、  ７４  配管、  ７５  分岐部、  ７６  分岐部、  ７７  配管
【図１】
2020193779.tif 000003
【図２】
2020193779.tif 000004